【手続補正書】
【提出日】平成19年1月9日(2007.1.9)
【手続補正１】
【補正対象書類名】特許請求の範囲
【補正対象項目名】全文
【補正方法】変更
【補正の内容】
【特許請求の範囲】
【請求項１】
データ記憶装置を有する撮像システムであって、この撮像システムは、複数のピクセルを有するセンサアレイを具えている当該撮像システムにおいて、前記ピクセルのうち第１の部分が、前記センサアレイに入射される光を表わす信号を生ぜしめるのに用いられ、前記ピクセルのうち第２の部分が、プログラミングされたデータを記憶させるのに用いられるようになっている撮像システム。
【請求項２】
請求項１に記載の撮像システムにおいて、プログラミングされたデータを記憶させるのに用いられる前記第１の部分のピクセルが、
回路を変更して第１論理状態のデータを表わしたピクセルと、
回路を変更せずに第２論理状態のデータを表わしたピクセルと
を有している撮像システム。
【請求項３】
請求項２に記載の撮像システムにおいて、回路を変更した前記ピクセルが無効化されている撮像システム。
【請求項４】
請求項２に記載の撮像システムにおいて、回路を変更した前記ピクセルは変更しえないようになっている撮像システム。
【請求項５】
請求項２に記載の撮像システムにおいて、回路を変更した前記ピクセルが、変更した光感応領域を有している撮像システム。
【請求項６】
請求項２に記載の撮像システムにおいて、回路を変更した前記ピクセルが、変更した金属ヒューズを有している撮像システム。
【請求項７】
請求項５に記載の撮像システムにおいて、回路を変更した前記ピクセルの各々の前記光感応領域が、ホトダイオードを有している撮像システム。
【請求項８】
請求項５に記載の撮像システムにおいて、回路を変更した前記ピクセルの各々の前記光感応領域が、レーザにより変更されている撮像システム。
【請求項９】
イメージセンサ動作方法において、イメージセンサのピクセルアレイのうちの選択ピクセルをプログラミングすることにより、このピクセルアレイ中にデータを記憶する工程を有するイメージセンサ動作方法。
【請求項１０】
請求項９に記載のイメージセンサ動作方法において、前記ピクセルアレイ中に記憶された前記データを読出す工程を更に有するイメージセンサ動作方法。
【請求項１１】
請求項１０に記載のイメージセンサ動作方法において、前記ピクセルアレイ中に記憶された前記データを解読する工程を更に有するイメージセンサ動作方法。
【請求項１２】
請求項１１に記載のイメージセンサ動作方法において、前記データを解読する前記工程が、前記ピクセルアレイ中に記憶された前記データを論理状態に変換する工程を有するイメージセンサ動作方法。
【請求項１３】
請求項９に記載のイメージセンサ動作方法において、前記データが製造情報を有するようにするイメージセンサ動作方法。
【請求項１４】
請求項９に記載のイメージセンサ動作方法において、前記データがピクセル識別情報を有するようにするイメージセンサ動作方法。
【請求項１５】
請求項９に記載のイメージセンサ動作方法において、前記データが検査情報を有するようにするイメージセンサ動作方法。
【請求項１６】
請求項９に記載のイメージセンサ動作方法において、前記データが欠陥ピクセル情報を有するようにするイメージセンサ動作方法。
【請求項１７】
請求項９に記載のイメージセンサ動作方法において、前記データを記憶する前記工程が、前記データを記憶する前記ピクセルアレイ内の位置を決定する初期工程を有するイメージセンサ動作方法。
【請求項１８】
請求項１７に記載のイメージセンサ動作方法において、データを記憶する前記位置を決定する前記工程が、前記データを記憶する前記ピクセルアレイ内の行及び列を決定する工程を有するイメージセンサ動作方法。
【請求項１９】
請求項９に記載のイメージセンサ動作方法において、前記プログラミングが更に、
前記選択ピクセルの回路を変更してこの選択ピクセル内に第１論理状態を表わすデータを記憶する選択ピクセル回路変更工程と、
前記選択ピクセルの回路を変更せずにこの選択ピクセル内に第２論理状態を表わすデータを記憶する工程と
を有するイメージセンサ動作方法。
【請求項２０】
請求項１９に記載のイメージセンサ動作方法において、前記選択ピクセル回路変更工程が、回路を無効化する工程を有するイメージセンサ動作方法。
【請求項２１】
請求項２０に記載のイメージセンサ動作方法において、変更される前記選択ピクセルの回路をこの選択ピクセルの光感応領域とするイメージセンサ動作方法。
【請求項２２】
請求項２１に記載のイメージセンサ動作方法において、前記選択ピクセルの前記光感応領域をホトダイオードとするイメージセンサ動作方法。
【請求項２３】
請求項２２に記載のイメージセンサ動作方法において、前記選択ピクセルの前記光感応領域をレーザにより変更するイメージセンサ動作方法。
【請求項２４】
複数のピクセルを有するセンサアレイを具える半導体チップであって、前記ピクセルのうち第１の部分が、前記センサアレイに入射される光を表わす信号を生ぜしめるのに用いられ、前記ピクセルのうち第２の部分が、データを種々の信号状態として生ぜしめるのに用いられるようになっている半導体チップ。
【請求項２５】
請求項２４に記載の半導体チップにおいて、前記データを生ぜしめるのに用いられる前記第２の部分のピクセルが、
回路を変更して第１論理状態のデータを表わしたピクセルと、
回路を変更させずに第２論理状態のデータを表わしたピクセルと
を有している半導体チップ。
【請求項２６】
請求項２５に記載の半導体チップにおいて、回路を変更した前記ピクセルが無効化されている半導体チップ。
【請求項２７】
請求項２５に記載の半導体チップにおいて、回路を変更した前記ピクセルが、変更された光感応領域を有している半導体チップ。
【請求項２８】
請求項２７に記載の半導体チップにおいて、回路を変更した前記ピクセルの各々の前記光感応領域が、ホトダイオードを有している半導体チップ。
【請求項２９】
請求項２７に記載の半導体チップにおいて、回路を変更した前記ピクセルの各々の前記光感応領域が、レーザにより変更されている半導体チップ。
【請求項３０】
プロセッサと、
このプロセッサに結合されているとともに複数のピクセルを有するピクセルセンサアレイと
を具えるプロセッサシステムにおいて、
前記ピクセルのうち第１の部分が、前記ピクセルセンサアレイに入射する光を表わす信号を生ぜしめるのに用いられ、前記ピクセルのうち第２の部分が、プログラミングされたデータを記憶させるのに用いられるようになっているプロセッサシステム。
【請求項３１】
請求項３０に記載のプロセッサシステムにおいて、プログラミングされたデータを記憶させるのに用いられる前記第２の部分のピクセルが、
回路を変更して第１論理状態のデータを表わしたピクセルと、
回路を変更させずに第２論理状態のデータを表わしたピクセルと
を有しているプロセッサシステム。
【請求項３２】
請求項３１に記載のプロセッサシステムにおいて、回路を変更した前記ピクセルが無効化されているプロセッサシステム。
【請求項３３】
請求項３１に記載のプロセッサシステムにおいて、回路を変更した前記ピクセルが、変更した光感応領域を有しているプロセッサシステム。
【請求項３４】
請求項３３に記載のプロセッサシステムにおいて、回路を変更した前記ピクセルの各々の前記光感応領域が、ホトダイオードを有しているプロセッサシステム。
【請求項３５】
請求項３３に記載のプロセッサシステムにおいて、回路を変更した前記ピクセルの各々の前記光感応領域が、レーザにより変更されているプロセッサシステム。
【請求項３６】
請求項３１に記載のプロセッサシステムにおいて、回路を変更した前記ピクセルが、変更した金属ヒューズを有しているプロセッサシステム。